【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
人の耳の難聴性を補償するためのオープンイヤー補聴器であって、該オープンイヤー補聴器は、
人の耳によって受容されるように入射音を拾い、これを電気音響信号に変換するための入力手段；
前記入力手段によって拾われた入射音に応じて音出力を生成するために人の外耳道内に配置可能な出力変換器を含む出力手段であって、該出力手段は入射音を直接、鼓膜に伝達できる形態を有し、鼓膜において入射音は前記出力変換器からの音出力と結合し、入射音と前記前記出力手段からの音出力との結合は、前記補聴器の着用者が知覚する音をもたらす前記出力手段；及び
前記入力手段からの電気的音響信号を処理するための信号処理手段であって、前記出力変換器からの音出力の特性は、前記信号処理手段で少なくとも一部測定され、該信号処理手段は、入射音と結合する音出力中に下記ｉ）〜ｉｉｉ）の特性：
ｉ）音出力はユーザーの難聴特性（hearing loss characteristics）に応じて設定された周波数帯域内で増幅される、
ｉｉ）前記周波数帯域内での増幅音出力の利得は入射音の音圧レベルに依存する、
ｉｉｉ）入射音圧レベルが、設定したカットオフレベルを超えると、出力変換器は実質的に音出力を生成せず、これにより、着用者が知覚する音は、ほぼ完全に、直接鼓膜に到達する入射音となる、
を生成する前記信号処理手段；
を含む前記オープンイヤー補聴器。
【請求項２】
前記信号処理手段は、前記設定周波数帯域内での増幅音出力の利得が低入射音圧レベルでの最大利得から、入射音に対し設定したカットオフ音圧レベル付近の入射音圧レベルでの最小利得に減少することを特徴とする前記出力変換器から音出力を提供する請求項１記載のオープンイヤー補聴器。
【請求項３】
人の耳によって受容されるように入射音を拾うための前記入力手段は、入射音をデジタル音響信号に変換し、前記処理手段はデジタル信号処理器である請求項１記載のオープンイヤー補聴器。
【請求項４】
人の耳によって受容されるように入射音を拾い、これを電気的音響信号に変換するための前記入力手段は、ユーザーが着用したマイクロホンである請求項１記載のオープンイヤー補聴器。
【請求項５】
前記周波数帯域内での増幅音出力の利得は、入射音に対し設定されたカットオフ音圧レベル未満の入射音圧レベルでは、低入射音圧レベルを増大させるのに従って、ほぼ線形に減少する請求項１記載のオープンイヤー補聴器。
【請求項６】
前記周波数帯域内での増幅音出力の利得は、入射音に対するカットオフ音圧レベル付近では急速に減少する請求項１記載のオープンイヤー補聴器。
【請求項７】
前記周波数帯域内での増幅音出力の利得は、入射音に対するカットオフ音圧レベルではゼロｄＢ未満に減少する請求項１記載のオープンイヤー補聴器。
【請求項８】
前記周波数帯域内での増幅音出力の利得は、入射音に対するカットオフ音圧レベル付近では単調に且つ断続することなく減少する請求項１記載のオープンイヤー補聴器。
【請求項９】
前記周波数帯域内での増幅音出力の位相歪は、入射音に対するカットオフ音圧レベル付近ではゼロに接近し、入射音圧レベルがカットオフレベルを実質的に超えると、ゼロとなる請求項１記載のオープンイヤー補聴器。
【請求項１０】
前記周波数帯域内での増幅音出力の位相歪は、入射音に対するカットオフ音圧レベル付近では単調に且つ断続することなくゼロに接近する請求項１記載のオープンイヤー補聴器。
【請求項１１】
前記信号処理手段は、入射音と結合する音出力中に別の特性：
音出力が増幅される状態と出力変換器が実質的に音出力を生成しない状態の間を遷移する際、該遷移は所望の動作開始時間及び解放時間（attack and release times）を生成するために動的制御下にある、
を生成する請求項１記載のオープンイヤー補聴器。
【請求項１２】
人の耳の難聴性を補償するためのオープンイヤー補聴器であって、該補聴器は、
人の耳によって受容されるように入射音を拾い、これを電気音響信号に変換するための入力手段であって、人の耳によって受容されるように入射音を拾うための該入力手段は入射音をデジタル音響信号に変換する前記入力手段；
デジタル処理器と、前記入力手段によって拾われた入射音に応じて音出力を生成するために人の外耳道内に配置可能な出力変換器とを含む出力手段であって、該出力手段は、入射音が出力変換器からの音出力と結合する鼓膜に直接、入射音を伝達できる形態を有し、前記入射音と出力変換器からの音出力との結合は、前記補聴器の着用者が知覚する音をもたらす前記出力手段；及び
前記入力手段により生成した電気的音響信号を処理するための信号処理手段であって、前記出力変換器からの音出力の特性は該信号処理手段で少なくとも一部測定され、該信号処理手段は、前記設定周波数帯域内での増幅音の利得が低入射音圧レベルでの最大利得から、入射音に対するカットオフ音圧レベル付近の入射音圧レベルでの最小利得に減少することを特徴とする前記出力変換器から音出力を生成すると共に、入射音と結合する音出力中に下記ｉ）〜ｉｖ）の特性：
ｉ）音出力はユーザーの難聴性に従って設定された周波数帯域内で増幅される、
ｉｉ）前記周波数帯域内での増幅音出力の利得は入射音の音圧レベルに依存し、低入射音圧レベルを増大させるのに従ってほぼ線形に減少する、
ｉｉｉ）入射音圧レベルが、設定したカットオフレベルを超えると、出力変換器は実質的に音出力を生成せず、これにより、着用者が知覚する音は、ほぼ完全に、直接鼓膜に到達する入射音となる、
ｉｖ）音出力が増幅される状態と出力変換器が実質的に音出力を生成しない状態の間を遷移する際、該遷移は所望の動作開始時間及び解放時間を生成するために動的制御下にある、
を生成する前記信号処理手段；
を含む前記オープンイヤー補聴器。
【請求項１３】
前記周波数帯域内での増幅音出力の利得は、入射音に対し設定されたカットオフ音圧レベル未満の入射音圧レベルでは低入射音圧レベルを増大させるのに従って、ほぼ線形に減少する請求項１２記載のオープンイヤー補聴器。
【請求項１４】
前記周波数帯域内での増幅音出力の利得は、入射音に対するカットオフ音圧レベル付近では単調に且つ断続することなく減少する請求項１３記載のオープンイヤー補聴器。
【請求項１５】
前記周波数帯域内での増幅音出力の位相歪は、入射音に対するカットオフ音圧レベル付近ではゼロに接近し、入射音圧レベルがカットオフレベルを実質的に超えると、ゼロとなる請求項１４記載のオープンイヤー補聴器。
【請求項１６】
前記周波数帯域内での増幅音出力の位相歪は、入射音に対するカットオフ音圧レベル付近では単調に且つ断続することなくゼロに接近する請求項１５記載のオープンイヤー補聴器。
【請求項１７】
人の耳の難聴性を補償するためのオープンイヤー補聴器であって、該補聴器は、
人の耳によって受容されるように入射音を拾い、これを電気音響信号に変換するためのマイクロホン；
前記マイクロホンによって拾われた入射音に応じて音出力を生成するために人の外耳道内に配置可能な拡声器を含む耳挿入体であって、該耳挿入体は、入射音が耳挿入体の拡声器からの音出力と結合する鼓膜に直接、入射音を伝達できる構造を有し、前記入射音と耳挿入体の拡声器からの音出力との結合は、前記補聴器の着用者が知覚する音をもたらす前記耳挿入体；及び
前記マイクロホンからの電気的音響信号を処理するためのコヒーレントゲートであって、該コヒーレントゲートはフイルター及び該フイルター用の利得制御機能を有し、前記耳挿入体の拡声器からの音出力の特性は、該コヒーレントゲートにより少なくとも一部測定され、該コヒーレントゲートは、入射音と結合する音出力中に下記ｉ）〜ｉｉｉ）の特性：
ｉ）音出力は、ユーザーの難聴性に従って設定された周波数帯域内で増幅される、
ｉｉ）前記周波数帯域内での増幅音出力の利得は、入射音の音圧レベルに依存する、
ｉｉｉ）前記耳挿入体の拡声器は、入射音圧レベルが、設定したカットオフレベルを超えると、実質的に音出力を生成せず、これにより、着用者が知覚する音は、ほぼ完全に、直接鼓膜に到達する入射音となる、
を有する前記コヒーレントゲート；
を含む前記オープンイヤー補聴器。
【請求項１８】
前記コヒーレントゲートは、入射音と結合する音出力中に別の特性：
音出力が増幅される状態と出力変換器が実質的に音出力を生成しない状態の間を遷移する際、該遷移は所望の動作開始時間及び解放時間を生成するために動的制御下にある、
を生成する請求項１７記載のオープンイヤー補聴器。
【請求項１９】
前記コヒーレントゲートは１ミリ秒未満の待ち時間を有する請求項１７記載のオープンイヤー補聴器。
【請求項２０】
難聴性を有する個人の難聴性を補償する方法であって、該方法は、
ほぼ正常な聴取能力を有する個人を超えた聴力（audibility）の音量閾値（loudness threshold）を含む、該個人の周波数依存難聴特性を測定する工程、
入射音を、難聴性を有する個人の耳の鼓膜に伝達するため、直接オープンイヤー経路及び処理済み（processed）信号経路を含む２つの入射音用経路を用意する工程であって、該処理済み信号経路は、音出力を、前記オープンイヤー直接経路を通って、前記個人の耳の鼓膜に到達する入射音と結合する前記個人の鼓膜に伝えると共に、下記ｉ）〜ｉｉｉ）の特性：
ｉ）音出力はユーザーの難聴特性に応じて設定された周波数帯域内で増幅される、
ｉｉ）前記周波数帯域内での増幅音出力の利得は入射音の音圧レベルに依存する、
ｉｉｉ）入射音圧レベルが前記個人の聴力の閾値を実質的に超えると、出力変換器は音出力を実質的に生成せず、これにより、前記個人が知覚する音は、ほぼ完全に、前記オープンイヤー直接経路を通って鼓膜に到達する入射音となる、
を有する音出力を伝える前記工程、
を含む前記方法。
【請求項２１】
音出力が増幅される状態と出力変換器が実質的に音出力を生成しない状態の間を遷移する際、該遷移は所望の動作開始時間及び解放時間を生成するために動的制御下にある請求項２０記載の方法。
【請求項２２】
前記設定周波数帯域内での増幅音出力の利得は、低入射音圧レベルでの最大利得から、前記個人の聴力の閾値付近の入射音圧レベルでの最小利得に減少する請求項２０記載の方法。
【請求項２３】
前記周波数帯域内での増幅音出力の利得は、前記個人の聴力の閾値未満の低入射音圧レベルでは入射音圧レベルを増大させるのに従って、ほぼ線形に減少する請求項２０記載の方法。
【請求項２４】
前記周波数帯域内での増幅音出力の利得は、前記個人の聴力の閾値付近では急速に減少する請求項２０記載の方法。
【請求項２５】
前記周波数帯域内での増幅音出力の利得は、前記個人の聴力の閾値付近では単調に且つ断続することなく減少する請求項２０記載の方法。
【請求項２６】
前記周波数帯域内での増幅音出力の位相歪は、前記個人の聴力の閾値付近ではゼロに接近し、入射音圧レベルが前記個人の聴力の閾値を実質的に超えると、ゼロとなる請求項２０記載の方法。
【請求項２７】
前記周波数帯域内での増幅音出力の位相歪は、前記個人の聴力の閾値付近では単調に且つ断続することなくゼロに接近する請求項２０記載の方法。